(57)【特許請求の範囲】
【請求項１】
特にゲルの形態の、毛髪用製品を収容し塗布するための装置（１）において、上記製品を収容する容器（２）を具備し、上記容器に、歯部形状等の複数のアプリケータ部材（１６，２４）を有するアプリケータヘッド（１０）が備えられ、上記容器に連通する少なくとも一の開口部（１５）がアプリケータ部材の外側でその基部の近傍に製品を移送するように配設され、アプリケータ部材の少なくとも一部（２４）が、上記開口部（１５）が閉止される第一の位置と上記開口部（１５）が少なくとも部分的に開放される第二の位置の間を移動する支持体（２２）上に設けられている装置。
【請求項２】
アプリケータ部材が、上記移動支持体（２２）に設けられた第一の列（２４）の形態に構成されていることを特徴とする請求項１に記載の装置（１）。
【請求項３】
移動支持体（２２）が第二の位置にあるとき、上記少なくとも一の開口部（１５）がアプリケータ部材の上記第一の列（２４）を含む平均面の外側にあることを特徴とする請求項２に記載の装置（１）。
【請求項４】
アプリケータヘッド（１０）に固定して取り付けられた第二の列（１６）を更に具備し、上記少なくとも一の開口部（１５）がアプリケータ部材（１６）の上記第二の列を含む平均面の外側にあり、アプリケータ部材の第一の列（２４）が、第２の列（１６）に直交する方向に第２の列（１６）に対して移動するように移動支持体（２２）に設けられていることを特徴とする請求項２又は３に記載の装置（１）。
【請求項５】
第一の列（２４）のアプリケータ部材が第二の列（１６）のアプリケータ部材とは、長さ、間隔又は断面等の少なくとも一つの特徴において異なることを特徴とする請求項４に記載の装置（１）。
【請求項６】
移動支持体（２２）が第二の位置にあるとき、上記少なくとも一の開口部（１５）は第一の列（２４）の一側か、第一の列（２４）と第二の列（１６）の間に配設されていることを特徴とする請求項２ないし５の何れか１項に記載の装置（１）。
【請求項７】
上記少なくとも一の開口部（１５）が、アプリケータ部材（１６，２４）の列に平行に配され、アプリケータ部材（１６，２４）の列の長さに実質的に等しい長さを持つ少なくとも一のスロットからなることを特徴とする請求項６に記載の装置（１）。
【請求項８】
列（１６，２４）内において、アプリケータ部材は同一又は異なった長さを有することを特徴とする請求項２ないし７の何れか１項に記載の装置（１）。
【請求項９】
上記容器（２）が、少なくとも一の圧縮性で、好ましくは弾性的に圧縮性である、壁部（４０）を有し、該壁部に横断方向又は軸方向に作用する圧力に応答して、支持体（２２）が第二の位置にあるときに上記少なくとも一の開口部（１５）を通じて製品を排出可能な圧力上昇が容器（２）内に生じさせられることを特徴とする請求項１ないし８の何れか１項に記載の装置（１）。
【請求項１０】
容器（２）が、ポリエチレン、好ましくは低密度又は超低密度ポリエチレンの何れか、ポリ塩化ビニル、又はアルミニウム系複合材料から選択された材料、又はポリエチレン／エチレンビニルアルコール（ＥＶＯＨ）／ポリエチレン型の材料から、全体が又は部分的に形成されたことを特徴とする請求項１ないし９の何れか１項に記載の装置（１）。
【請求項１１】
容器（２）が、容器の端面壁（３）に好ましくは形成されている、取っ手（５０）に取り付けられていることを特徴とする請求項１ないし１０の何れか１項に記載の装置（１）。
【請求項１２】
アプリケーターヘッド（１０）がスナップ締結、ネジ止め、接合又は溶着により容器に取り付けられていることを特徴とする請求項１ないし１１の何れか１項に記載の装置（１）。
【請求項１３】
支持体（２２）が第一の位置にあるときに少なくとも一の開口部（１５）のシールを改善する手段（３０）が設けられたことを特徴とする請求項１ないし１２の何れか１項に記載の装置（１）。
【請求項１４】
第一及び／又は第二の位置に移動支持体（２２）を係脱可能に係止する手段（１５，３０，３１）が設けられたことを特徴とする請求項１ないし１３の何れか１項に記載の装置（１）。
【請求項１５】
移動支持体（２２）が、アプリケーターヘッド（１０）に摺動可能に設けられていることを特徴とする請求項１ないし１４の何れか１項に記載の装置（１）。
【請求項１６】
アプリケーターヘッド（１０）が、容器（２）に取外し可能に取り付けられていることを特徴とする請求項１ないし１５の何れか１項に記載の装置（１）。
【請求項１７】
アプリケーターヘッド（１０）に離脱可能に蓋をする蓋部（２５）を具備することを特徴とする請求項１ないし１６の何れか１項に記載の装置（１）。
【請求項１８】
毛髪用製品、特にスタイリングゲル又は着色製品を塗布するための、請求項１ないし１７の何れか１項に記載の装置（１）の使用。
【発明の詳細な説明】
【０００１】
【発明の属する技術分野】
本発明は、毛髪用製品、特にスタイリングゲル又は着色製品で、特にクリームの形態のものを収容し、塗布する装置に関する。
本出願では、使用者に言及するとき、簡単のために、「彼」を優先順位をつけないで男性又は女性の誰かを指すために使用する。
【０００２】
【従来の技術】
毛髪用ゲルは典型的には手で塗布されるが、ゲルの塗布後に使用者が手を洗うことを必要とする。更に、経験から、手でゲルを塗布した後に、大抵の使用者は櫛やブラシを使用して髪を整え、又は髪に所望のセットを施すことが分かっている。明らかなことであるが、櫛を後で洗う必要がある。実際的な観点から、これらの全てが満足できるものではない。
毛髪ゲルを塗布するためのアプリケーター剛毛又は歯部を持つタイプの道具が知られている。製品は、歯部の基部又はその先端の何れかにそれを軸方向に貫通する流路を通って運ばれる。
【０００３】
このような装置は特に米国特許第３５７０４９９号に記載されている。この文献では、アプリケータ部材は歯部の先端に開口する流路が貫通する歯部からなり、これらの歯部には、最初の使用前に針で穿孔されなければならない可撓性の材料からなるレフィルから供給がなされる。
複数の歯部を軸方向に貫通する流路を介して製品が分散される他の構造が米国特許第４０９０５２２号に記載されている。
仏国特許出願公開第２７４４８９０号には、複数の透孔が開口する基部に、歯部構造が上部に取り付けられたベローズ形態のレフィルを備えた装置が記載されている。アプリケータヘッドには着脱可能な蓋部が被せられている。
同様な装置が英国特許出願公開第１４２２０８１号に記載されている。
【０００４】
透孔が開口する基部に、複数の歯部を有するアプリケータヘッドが上部に取り付けられた容器を具備する装置がまた独国実用新案登録８９０６７３５．５及び８９１２２２０．８に記載されている。その文献では、二回の使用の間に、透孔が、アプリケータヘッドに摺動自在に又は回動自在に取り付けられた補助の閉止部材によって閉止されている。閉止部材は、閉止部材が閉止位置にあるときに透孔に係合してそれを閉止することが可能な手段を具備している。閉止部材は、特に関節を介して装置に永久に固定されてもよいし、塗布時に装置から取り外されるものでもよい。
国際公開第８８／０９６３２号には、塗布される製品を含む容器と連通する透孔が基部に開口された歯部構造を有する、特に着色製品のための塗布装置が記載されている。この文献は透孔を直接閉止する方法を考えていない。
【０００５】
【発明が解決しようとする課題】
これら全ての装置に固有な問題は数多くある。通常は一つの同一の列の歯部の間への又は歯部の先端への、透孔の配置のために、製品は、歯部の面において処理される領域にのみ直接出現し、歯部が製品の塗布を案内することにのみ作用する。よって、アプリケータ装置が毛髪を通過する場合に、製品が毛髪に接触するときとアプリケータ歯部での通過の間に同時性がある。従って、毛髪に製品を均一に分散させるには、多くの場合、アプリケータ装置自体を用いるか補助的な櫛を使用して毛髪を更に通過させることが必要となる。
【０００６】
上述の二件の独国実用新案登録に記載されているような摺動又は回動する補助的な閉止部材を有するシステムでは、閉止部材は毛髪を通過する装置の動きに干渉し、製品の正しい塗布を妨げるおそれがある。更に、格納位置では、そのような閉止部材が壊れるか損傷を受ける危険性がある。最後に、閉止部材が閉止位置にあるとき、この部材は、アプリケータ装置を簡単な櫛のようにして使用することを困難にする。しかして、如何なる付加的な製品も付着させないそのような使用は毛髪のスタイリングを改善するために製品の塗布後に望ましい。
更に、塗布を行うためにアプリケータヘッドから取り外すことができる閉止部材を使用する実施態様では、使用後にアプリケータヘッドまでそれを戻すことを忘れたり、あるいはそれを紛失する危険性が問題になる。
【０００７】
よって、本発明の目的の一つは、先行技術を参照して上で検討した問題を完全に又は部分的に解決する毛髪用製品を塗布するための装置を製作することにある。
本発明の特定の目的は、使用が簡単で経済的に製造できるアプリケータ装置を製作することである。
本発明の他の目的は、一回の動作で製品を塗布し毛髪に対して製品を均一に広げることを可能にするアプリケータ装置を製作することである。
本発明の更に他の目的は、製品を塗布した後に、毛髪のスタイリングを改善するために櫛のようにして使用することができる装置を製作することである。
本発明の更に他の目的は、貯留位置で、容器に連通する少なくとも一の透孔をシールすることが可能で、少なくとも一の透孔が閉止されている位置とそれが開放されている位置の何れでも、毛髪を通過するアプリケータ部材の動きと干渉しない部材を備えたアプリケータ装置を製作することである。
その他の目的は以下の詳細な記載から明らかになるであろう。
【０００８】
【課題を解決するための手段】
本発明によると、これらの目的は、特にゲルの形態の、毛髪用製品を収容し塗布するための装置において、製品を収容する容器を具備し、容器に、歯部形状等の複数のアプリケータ部材を有するアプリケータヘッドが備えられ、容器に連通する少なくとも一の開口部がアプリケータ部材の外側でその基部の近傍に製品を移送するように配設され、アプリケータ部材の少なくとも一部が、開口部が閉止される第一の位置と開口部が少なくとも部分的に開放される第二の位置の間を移動する支持体上に設けられている装置を製作することによって、達成される。
【０００９】
本出願において、少なくとも一の開口手段が開口する位置を定性的に示す「近傍」という用語は、それが、少なくとも一のアプリケータ部材の先端からある距離だけ離れたところに、好ましくはその先端部よりもその基部により近いところに、好ましくは開口することを意味する。また好ましくは、それは、アプリケータ部材が埋設された表面に直接開口する。
よって、容器に連通する少なくとも一の透孔を開閉する機能はアプリケータ部材自体によってもたらされ、これにより、装置が毛髪を通過させられるとき、塗布又は毛髪のスタイリングに干渉するおそれのある干渉を実際上生じさせない。
このように構成された装置は使用が簡単で製作が経済的である。容器に連通する少なくとも一の透孔を開閉する機能はアプリケータ部材自体によってもたらされているので、アプリケータ部材の構造において、特にその数、その間隔の選択、又はその寸法（長さ、断面）の選択において、多大な多様性がもたらされる。
【００１０】
好適には、アプリケータ部材は、移動支持体に設けられた第一の列の形態に構成されている。好ましくは、移動支持体が第二の位置にあるとき、少なくとも一つの開口部はアプリケータ部材の上記第一の列を含む平均面の外側にある。よって、透孔が歯部の列と整列されているある種の従来の装置とは異なって、本発明に係る構造により、製品を毛髪にまず付着させ、ついでアプリケータ部材を使用してそれを均一に広げることができる。これは、毛髪を通過する装置の動きに対して、少なくとも一の透孔がアプリケータ部材の少なくとも一部の上流にあるためである。
【００１１】
好ましくは、装置はアプリケータヘッドに固定して取り付けられた第二の列を更に具備し、該少なくとも一の開口部はアプリケータ部材の第二の列を含む平均面の外側にある。アプリケータ部材の第一の列は、第二の列に直交する方向に第二の列に対して移動するように移動支持体に設けられている。第一の列は特に製品の塗布前に毛髪のもつれをほぐす役割を担い、第二の列は製品を塗布した後に付着した製品を広げ仕上げをする。
特にこのためには、第一の列のアプリケータ部材は第二の列のアプリケータ部材とは、長さ、間隔又は断面等の少なくとも一つの特徴が異なりうる。もつれのほぐしには、粗いかなり広く間隔が開いた歯部を持つ櫛が使用されるであろう。仕上げには、間隔がより狭まった歯部のより細かい歯部の櫛が使用されるであろう。
好ましくは、移動支持体が第二の位置にあるとき、少なくとも一の開口部は第一の列の一側か、第一の列と第二の列の間に配設される。
【００１２】
好適な一実施態様では、少なくとも一の開口部はアプリケータ部材の列に平行に配され、アプリケータ部材の列の長さに実質的に等しい長さを持つ少なくとも一のスロットからなる。その幅は０．５ｍｍから３ｍｍのオーダーとできる。あるいは、アプリケータ部材の列に平行な列の形態に特に配置された複数の分離した透孔を使用することが可能である。歯部の列の全長に実際的にわたって延びる複数の小さい平行なスロットを使用することが等しく可能であり、支持体とアプリケータヘッドの固定部分の間の相対位置が、塗布の際に製品が出現しうるスロットの数を決定し、よって製品が移送される速度を変更することが可能になる。
【００１３】
列内では、アプリケータ部材は同一又は異なった長さを有しうる。よって、アプリケータ部材の先端は、直線状又は湾曲状、特に頭部の曲率に追従した凹状線で延びるようにしてもよい。
容器は、少なくとも一の圧縮性で、好ましくは弾性的に圧縮性である、壁部を有し、該壁部に横断方向又は軸方向に作用する圧力に応答して、支持体が第二の位置にあるときに少なくとも一の開口部を通じて製品を排出可能な圧力上昇が容器内に発生されうる。容器、特にチューブ又はチューブボトルの形態の容器のこのような構造は、毛髪着色ゲル又はクリームのような非常に粘性のある製品を分配することを容易にする点で重要な役割を担う。一つのオプションとして、圧縮壁部は、軸方向に圧縮されうるベローズの形態に構成される容器の本体の一部から構成されてもよい。
【００１４】
容器は、ポリエチレン、好ましくは低密度又は超低密度ポリエチレンの何れか、ポリ塩化ビニル、又はアルミニウム系複合材料から選択された材料、又はポリエチレン／エチレンビニルアルコール（ＥＶＯＨ）／ポリエチレン型の材料から、全体が又は部分的に形成されうる。
容器は、特に容器の端面壁に形成されている、把持のための取っ手に取り付けられうる。このような構造では、アプリケータ具は手袋のように「滑る」。この構造は、本体の少なくとも一部がベローズを形成している容器構造には非常によく適している。
アプリケーターヘッドはスナップ締結、ネジ止め、接合又は溶着により容器に取り付けられている。
支持体が第一の位置にあるときに少なくとも一の開口部のシールを改善する手段が設けられてもよい。このような手段は、少なくとも一の開口部を形成する縁部により形成された対応する形状に係合可能な突起部（バルジ部）から形成されうる。
【００１５】
第一及び／又は第二の位置に移動支持体を可逆的（係脱可能）に係止する手段が設けられてもよい。この機能は、シール性を改善するために使用するものと同じ手段によって少なくとも部分的に達成されうる。
好適には、移動支持体はアプリケーターヘッドに摺動可能に設けられる。
また好適には、アプリケーターヘッドは、容器に取り外し可能に取り付けられる。ついでこれは再充填可能な装置を作り出す。
特に、装置を持ち運ぶとき、外部の環境から引き起こされる可能性のあるあらゆる汚れからそれを保護し、又はその逆のために、アプリケーターヘッドに蓋をする取外し可能な蓋部を設けてもよい。
上記で説明した特徴とは別に、本発明は、添付図面を参照して説明される幾つかの非限定的な実施形態によって以下に説明する幾つかの他の特徴からなる。
【００１６】
【発明の実施の形態】
図１、２、３（Ａ）−３（Ｂ）及び４に示された実施形態において、装置１は全体形状が平行六面体の瓶体の形態の容器２を具備し、その断面は長辺の軸に沿って長く延びており、一端が端面壁３によって閉止されている。他端は断面が瓶体のものと同様な開口部５を形成する縁部４を有している。
瓶体２にはアプリケータヘッド１０が設けられている。アプリケータヘッド１０は容器２に固定して取り付けられた帯状部１１を有している。このためには、帯状部１１は、側方スカート部１３の外面に形成されて、容器の縁部４と協働してスナップ締結される突部（バルジ部）１２を有している。側方スカート部は一つの開放端と横断壁部１４により閉止された一つの端部を有している。
本質的にその中央では、横断壁部１４は、それを貫通し、最長長さの軸に沿ってそのほぼ全長にわたって延びるスロット１５を有している。スロット１５に平行に、壁部１４の隆起部１７に形成された歯部列１６が延びている。歯部列１６はスロット１５の長さと実際に等しい長さである。列１６の歯部の基部はスロット１５から数ミリ離れている。
【００１７】
（最大長さの軸に沿った）その端部の各々では、帯状部１１が、アプリケータヘッド１０の移動支持体２２の端部の各々に形成された対応する側方路２０，２１を摺動可能な縁部１８，１９で終端している。
移動支持体２２は、帯状部１１のものと同様の寸法を有しており、後で詳細に分かるように、支持体２２が装置の最大長さの軸に直交する方向に帯状部１１に対して摺動することを可能にするように、帯状部の隆起部分１７の幅よりも大なる幅の透孔２３を有している。装置１の最大長の軸に沿った透孔２３の長さは隆起部分１７の長さよりもわずかに大きい。
透孔２３の一側には、歯部列１６の長さとほぼ同一の長さの他の歯部列２４が存在している。この実施形態では、列１６の歯部は列２４の歯部と同じ高さである。
【００１８】
蓋部２５は、アプリケータヘッド１０が満たされたら、特に装置１が持ち運ばれるときに、該ヘッドに取外し可能に蓋をするためのものである。容器の開口部５の近傍に形成された溝２６により蓋部２５を装置１に可逆的に（係脱可能に）係止させることができる。
今記載した装置の作用を図３（Ａ）−３（Ｂ）及び４を参照して検討する。図３（Ａ）の位置では、歯部列２４に隣接した透孔２３の縁部は帯状部１１の隆起部１７の対応する縁部に当接している。移動支持体２２はスロット１５を覆い、それが製品に対してシールされるようにそれを閉止する。この位置は貯留位置に対応する。この位置では、歯部列２４はスロット１５と本質的に同じレベルにある。
【００１９】
図３（Ｂ）の位置つまり分配位置では、移動支持体２２は、歯部列２４の透孔２３の反対縁部が帯状部１１の隆起部分１７の対応する縁部に当接するまで装置１の最大長の軸に直交して摺動された状態である。この位置では、スロット１５は透孔２３に面している。従って、それは開放され、製品を図４に示されているようにして塗布することができる。典型的には、図３（Ａ）の位置から図３（Ｂ）の位置に移動する最大移動距離は５ｍｍのオーダーであり、これらの二つの極端な位置の間の中間位置において製品を塗布することを選択することができるものと理解され、その中間位置ではロット１５は部分的にのみ開放されている。製品が移送される速度がよって自在に調節される。
【００２０】
特に着色クリームを塗布する目的で、本発明に係る装置を使用するには、使用者は移動支持体２２を、少なくとも部分的にスロット１５を開放するように帯状部１１に対して摺動させる。彼は装置を回して歯部列１６及び２４を頭皮に係合させる。彼は、容器２の壁部を押圧して、二つの歯部列１６及び２４の間のスロット１５から製品を強制的に排出させる。同時に、彼は装置１を毛髪に対して移動させ、所望の位置にあてがう。移動の間、矢印で示されているように、装置１は回転され、スロット１５が毛髪により作用する抵抗の影響下で戻って閉じることはない。このためには、使用者は、装置が毛髪を通過するときに固定された列１６が上流になるように装置１を向ける。
【００２１】
図面に示しているものと異なり、スタイリングゲルの場合には、アプリケータ装置は一般に頭部の前面から後ろに向けて移動させられる。
先のようにして進めることにより、毛髪が二つの歯部列１６及び２４の間に含まれる製品に接触させられる前に、歯部列１６が毛髪をまとめ、特にそのもつれをほぐす。ついで、歯部列２４が製品を毛髪にわたって均一に広げる。
考えられる仕上げ段階の間は、使用者は装置１を図３（Ａ）の位置まで戻し、櫛のようにそれを使用して毛髪のスタイリングを改善する。この仕上げ段階では、彼は塗布の際の向きとは反対に装置を向けるので、毛髪から作用する抵抗が移動支持体２２を移動させることはなく、スロット１５の不用意な開放を生じることはない。
使用後には、彼はアプリケータヘッド１０をたたいて移動させ、二回の使用の間に乾燥するおそれのあるあらゆる製品をそこから取り除く。
【００２２】
図５、６及び７（Ａ）−７（Ｂ）の実施形態は主に次の点で先の実施形態と異なる：
１．−  単一の歯部列２４を有している。よって、先の実施形態とは異なり、帯状部１１は歯部列を持たない。
２．−  列２４の歯部の先端は頭皮のドーム状の形状に追従するように凹状の線として延びている。
３．−  開放位置と閉止位置におけるアプリケータヘッド１０の可逆的な係止はそれぞれ移動支持体２２の内面に形成された突起部３０によってもたらされている。突起部３０は、スロット１５の長さとほぼ同一の長さにわたって、ほぼ歯部列２４のレベルに存在する。
【００２３】
図７（Ｂ）に示された開放位置では、突起部３０は帯状部１１の横断壁１４の上面に形成された溝３１に係合している。溝３１はスロット１５に平行にほぼ同じ長さにわたって延びる。図７（Ｂ）のこの位置では、スロット１５は移動支持体２２の透孔２２に面している。製品は塗布されうる。この実施形態では、一方では溝３１と、他方では移動支持体２２の摺動の最大移動距離を定めるスロット１５と組み合わされた突起部３０と透孔２３の組み合わせで分配することが可能である。
図７（Ａ）に示された閉止位置では、突起部３０はスロット１５に係合し、よってスロットのシールを改善する。更に、突起部３０とスロット１５の間の協働が閉止位置においてアプリケータヘッドを可逆的に係止する。
【００２４】
他の観点では装置１は先の実施形態の装置と全く同一である。
塗布時の方法は左記の実施形態を参照して記載したものと同様であり、装置１は歯部列２４の上流にスロット１５があるようにして装置１を配置するものと理解される。この実施形態では、製品は、先の実施形態において歯部列１６を使用して達成されれうように毛髪を前もって固定しないでも直接塗布される。
図８の実施形態では、アプリケータヘッド１０は、列１６の歯部が列２４の歯部よりわずかに短いことを除いて第一の実施形態のものと同一である。この高さの差により、動作がより簡単になり、装置１を毛髪を通して動かすときの装置の好適な向きを使用者に知らせる。
【００２５】
更に、容器は円形断面であり、ベローズ４０の形態に形成されている。容器の端面壁３は手袋のように装置１を保持することを可能にする取っ手５０に取り付けられている。
塗布時には、アプリケータヘッド、製品及び毛髪の間の相互作用は図１、２、３（Ａ）−３（Ｂ）及び４の実施形態のものと同様である。異なる唯一の点は、取っ手５０を介して手に装置が保持される点と、製品が先の実施形態の側方向への圧縮よりもむしろベローズを介して容器の軸方向の圧縮により排出される点である。
【００２６】
前述の詳細な説明では、いくつかの本発明の好ましい実施例を説明した。特許請求の範囲に記載された本発明の精神から逸脱することなく、それに対して変更が加えることができることは明らかである。
【図面の簡単な説明】
【図１】本発明の第一の実施形態を示す分解図である。
【図２】本発明の第一の実施形態を示す斜視図である。
【図３】（Ａ）及び（Ｂ）は本発明の第一の実施形態を示す断面図である。
【図４】本発明の第一の実施形態の使用状態を示す概略図である。
【図５】本発明の第二の実施形態を示す分解図である。
【図６】本発明の第二の実施形態を示す斜視図である。
【図７】（Ａ）及び（Ｂ）は本発明の第二の実施形態を示す断面図である。
【図８】本発明の第三の実施形態を示す図である。
【符号の説明】
１              装置
２              容器
１０            アプリケータヘッド
１５            開口部
１６、２４      アプリケータ部材
２２            支持体
【図１】
0003623198.tif 000002
【図２】
0003623198.tif 000003
【図３】
0003623198.tif 000004
【図４】
0003623198.tif 000005
【図５】
0003623198.tif 000006
【図６】
0003623198.tif 000007
【図７】
0003623198.tif 000008
【図８】
0003623198.tif 000009